(57)【要約】      （修正有）【課題】チェーンを丸環で折り返すことで、スムーズに長さ調節できる装身用チェーンを提供する。【解決手段】引き輪２と、該引き輪２に着脱可能に連結される連結部材にそれぞれ連結された一対のチェーン部Ｃ１、Ｃ２と、各チェーン部Ｃ１、Ｃ２を、リング部１０によって折り返し、往路側のチェーン部Ｃ１ａ、Ｃ２ａに沿って摺動して長さ調節しうる復路側の先端に設けられたスライド部材５とからなっていることを特徴とする装身用チェーン１であって、リング部１０が１つのリング状の装飾体、または装飾体の左右に一対に設けられた一対のリング部からなっている。【選択図】図１
0003203410.tif 000002
【実用新案登録請求の範囲】
【請求項１】
引き輪と、該引き輪に着脱可能に連結される連結部材にそれぞれ連結された一対のチェーン部と、
各チェーン部を、リング部によって折り返された状態で、復路側の先端に設けたスライド部材を往路側のチェーン部に沿って摺動可能とすることで長さ調節しうることを特徴とする装身用チェーン。
【請求項２】
リング部が、装飾体となる１つの円形または楕円形のリング、または装飾体の左右に設けられた一対の丸環または装飾体に一体に設けられた円弧状の枠体からなっていることを特徴とする請求項１に記載の装身用チェーン。
【請求項３】
リング部が、装飾体の左右に一対に設けられており、一対のチェーン部がそれぞれ近接する各１つのリング部によって折り返されてなることを特徴とする請求項１または２に記載の装身用チェーン。
【請求項４】
一対のリング部が、装飾体を介して連結されていることを特徴とする請求項１から３のいずれかに記載の装身用チェーン。
【請求項５】
一対のリング部が、装飾体を介して連結されていることを特徴とする請求項１から３のいずれかに記載の装身用チェーン。
装飾体の左右に一対のリング部が固定されていることを特徴とする請求項１から４のいずれかに記載の装身用チェーン。
【請求項６】
装身体の左右に一対のリング部が回転可能に連結されていることを特徴とする請求項１から４のいずれかに記載の装身用チェーン。
【考案の詳細な説明】
【技術分野】
【０００１】
本考案は、スムーズに長さ調節できる装身用チェーンに関するものである。
【背景技術】
【０００２】
従来、例えば、実公昭４８−２４０６９号の伸縮自在なネックレスでは、リングチェンの一端に連結環を取付けたネックレスにおいて、リングの長径より狭い間隔をもつて設けた２つの穴を有する調節部材に前記クサリを挿通し、リングチェンの他端に環を介して調節部材の一端に固着し、該調節部材と環間のリングチェンには環を挿通し、調節部材と連結環との間のクサリには装飾物を自由?通した構成が開示されており、これによってクサリの長さを調節して、好みに応じて装飾物の位置を変えることができる。
また、特開２００５−３１８９７８号の装身具では、首などに巻装できる鎖体と、該鎖体に掛止できる装飾体からなり、装飾体は中空で、鎖体の断面径よりやや大きい少なくとも２個の透孔がありかつ、上記球体内に収められ、その外径が上記透孔よりやや大きく、内径が上記鎖体の断面径よりやや小さい円筒状の弾性係止片を設けた構成からなっており、鎖体の長さ調整を行う構成が開示されている。
しかし、前者では、調節部材に形成された２つの穴に鎖を通して長さ調整を行うため、スムーズに鎖を伸縮させることができにくい。
また、鎖が折り返される環には取付片を介して連結環に着脱しているため、前記環の動きも固くなるという不具合がある。
後者では、鎖体を折り返すことなく、一対の装飾体間に鎖体を通して伸縮可能とするため、装飾体が鎖体を摺動させる際に対向する装飾体にも力が加わり、スムーズな伸縮が行いにくいという不具合があった。
【先行技術文献】
【特許文献】
【０００３】
【特許文献１】実公昭４８−２４０６９号公報
【特許文献２】特開２００５−３１８９７８号公報
【特許文献３】実用新案登録第３１９４０５５号公報
【考案の概要】
【考案が解決しようとする課題】
【０００４】
この考案は上記事情に鑑みて創案されたものであって、その主たる課題は、チェーンの長さ調整をスムーズに行うことで長さ調整が可能なチェーン構造を提供することにある。
【課題を解決するための手段】
【０００５】
上記課題を解決するために、請求項１の考案では、
引き輪と、該引き輪に着脱可能に連結される連結部材にそれぞれ連結された一対のチェーン部と、
各チェーン部を、リング部によって折り返された状態で、復路側の先端に設けたスライド部材を往路側のチェーン部に沿って摺動可能とすることで長さ調節しうることを特徴とする。
請求項２の考案では、
前記リング部が、装飾体となる１つの円形または楕円形のリング、または装飾体の左右に設けられた一対の丸環または装飾体に一体に設けられた円弧状の枠体からなっていることを特徴とする。
【０００６】
請求項３の考案では、
前記リング部が１つのリング状の装飾体からなっており、前記リング部に各チェーン部が左右にそれぞれ折り返されてなることを特徴とする。
請求項３の考案では、
前記リング部が、装飾体の左右に一対に設けられており、一対のチェーン部がそれぞれ近接する各１つのリング部によって折り返されてなることを特徴とする。
請求項４の考案では、
前記一対のリング部が、装飾体を介して連結されていることを特徴とする。
請求項５の考案では、
前記一対のリング部が、装飾体を介して連結されていることを特徴とする。
請求項６の考案では、
前記装身体の左右に一対のリング部が回転可能に連結されていることを特徴とする。
【考案の効果】
【０００７】
この考案の装身用チェーンでは、スライド部材によりチェーンを伸縮させる際にチェーンは、装飾体側に設けられた１または２つのリング部で折り返されるようになっているので、伸縮に際しての操作がきわめて容易でスムーズに行うことができる。
【図面の簡単な説明】
【０００８】
【図１】実施例１の装身用チェーンの短縮時の正面図である。
【図２】同、装身用チェーンの伸長時の正面図である。
【図３】スライド部材の拡大図である。
【図４】（ａ）は図１における要部拡大図、（ｂ）は図２における要部拡大図である。
【図５】実施例２の装身用チェーンの短縮時の正面図である。
【図６】同、装身用チェーンの伸長時の正面図である。
【図７】（ａ）は図５における要部拡大図、（ｂ）は図６における要部拡大図である。
【図８】実施例３の装身用チェーンの短縮時の正面図である。
【図９】同、装身用チェーンの伸長時の正面図である。
【図１０】（ａ）は図８における要部拡大図、（ｂ）は図９における要部拡大図である。
【図１１】リング部が装飾体の左右に設けられた円弧状の枠からなる要部正面図である。
【考案を実施するための形態】
【０００９】
この考案は、引き輪と、該引き輪に着脱可能に連結される連結部材にそれぞれ連結された一対のチェーン部をリング部で折り返し、先端に設けたスライド部材を摺動することで長さ調整を行うことができる抵抗の少ないスムーズなチェーンの伸縮操作を実現した。
以下に、この考案の好適実施例について図面を参照しながら説明する。
【実施例１】
【００１０】
図１および図２に示す実施例１の装身用チェーン１は、引き輪２に先端が連結された第１チェーン部Ｃ１と、連結部材の一例を示す穴あきプレート６に先端が連結された第２チェーン部Ｃ２とを有している。
【００１１】
上記第１、第２チェーン部Ｃ１、Ｃ２は、左右に離間してしており、それぞれ装飾体２０となる大径のリング部１０で折り返されて元のチェーンと重なるようになっている。
図示例では１つのリング部１０を用いたが複数のリングの組み合わせでもよく、その場合は左右の外側となるリング部に前記左右のチェーン部Ｃ１またはＣ２がそれぞれ折り返される。
本実施例では、説明上、リング部１０の折り返し点を基準に、相対的に、折り返し側に向かう方を往路Ｃ１ａ，Ｃ２ａとし、折り返された方を復路側Ｃ１ｂ、Ｃ２ｂとする。
【００１２】
そして、折り返された第１、第２チェーン部の各先端には、それぞれスライド部材５が固定されている。
各スライド部材５は、図３に明瞭なように、チェーンを摺動する孔を有する摺動部（図示せず）をケース５ａ内に内蔵しており、該ケース５ａには、チェーンの先端を連結する丸環５ｂを固定している。
このスライド部材５の構造は、公知の構造を用いることができる。
【００１３】
上記構成からなっているので、引き輪２と穴あきプレート６を係止することで、第１チェーン部Ｃ１と第２チェーン部Ｃ２とが無端状につながる。
そして、前記各スライド部材５を、往路側のチェーン部Ｃ１ａ、Ｃ２ａに沿って折り返し方向に向かって摺動することで、スライド部材５がリング部１０に近づき（図４（ｂ）参照）、復路側のチェーンＣ１ｂ、Ｃ２ｂが短くなるとともに、往路側のチェーン部Ｃ１ａ、Ｃ２ａが長くなり、図２に示す伸長姿勢に長さ調整することができる。
本実施例で、装飾体２０は１つのリング１０からなるが、任意形状の装飾体の左右に半円状または円弧状の枠部を一体に形成することで、該枠部をリングに替えて用いてもよい（図１１参照）。
【実施例２】
【００１４】
図５および図６に示す実施例２の装身用チェーン１は、装飾体２０の左右両側に丸環１０’を固定して折り返し用のリング部として用いている。
また、図示例で装飾体２０は、円形のリング部としたが、任意の形状の装飾体を用いることができる。
【００１５】
この実施例２では、図７（ａ）に示すように、第１、第２チェーン部Ｃ１、Ｃ２を通して折り返すことができる大きさの丸環１０’であればよく、丸環１０’の湾曲面にチェーンのリンクが接して、スムーズに折り返されることができる。
【００１６】
この場合も、スライド部材５を往路側のチェーンに沿って摺動させることで長さ調整を行うことができ、図７（ｂ）に示すように、スライド部材５が丸環１０’に接近した位置が第１、第２チェーン部が最も長く伸長した状態となる（図６参照）。
その他の構成は前記実施例１に準ずるので説明を省略する。
【実施例３】
【００１７】
図８および図９に示す実施例３の装身用チェーン１は、装飾体２０の左右両側に独立した丸環（リング部）１０”を設け、折り返し用のリング部として用いている。
また、左右の丸環１０の間には、可撓性または伸縮性を有する装飾体２０が介設されている。
【００１８】
即ち、図示例では、左右の丸環１０”の間に、２連のチェーンが掛け渡されており装飾体２０となっている。
ここで丸環１０”は、装飾体２０のチェーンの両端で固定されていても、回転可能となっていてもよい。
また、図示例では装飾体２０のチェーンは２連であるが、前記左右の丸環１０”で折り返されるように連結してもよい。
【００１９】
その他、この実施例では装飾体２０は、チェーンに限らず、左右の丸環１０”に、宝玉を通した紐状の部材や、可撓性や弾性などを有する公知の装飾体を掛け渡したり、連結するものであってもよい。
また、前記実施例と同様に丸環も、楕円形状や半円状、円弧状のものでもよく、要するに前記チェーン部Ｃ１，Ｃ２をスムーズに折り返すことができる曲面を有していればよい。
【００２０】
この場合も、前記実施例と同様に、スライド部材５を往路側のチェーンに沿って摺動させることで長さ調整を行うことができ、図１０（ｂ）に示すように、スライド部材５が丸環１０”に接近した位置が第１、第２チェーン部が最も長く伸長した状態となる（図９参照）。
その他の構成は前記実施例１、２に準ずるので説明を省略する。
【００２１】
このように、本考案では、スライド部材を装飾体側にスライドさせることでチェーンの長さ調整を行うことができ、長さ調整の操作を容易に行うことができる。
また、この考案でチェーンを折り返すリング部は、完全な円環状でなくてもよく、楕円形などの湾曲面であってもよい。
【００２２】
即ち、チェーンのリンクをスムーズに折り返すことができる湾曲部を有するものであれば、円形や楕円形の半分だけの形状や円弧形状でもよい。
その他  この考案は上記実施例に限定されるものではなく、要するにこの発明の要旨を変更しない範囲で種々設計変更することができる。
【符号の説明】
【００２３】
１  装身用チェーン
２  引き輪
５  スライド部材
６  穴あきプレート
１０  リング部
１０’、１０”  丸環
２０  装飾体
Ｃ１  一方のチェーン部
Ｃ１ａ  Ｃ１のチェーンの往路
Ｃ１ｂ  Ｃ１のチェーンの復路
Ｃ２  他方のチェーン部
Ｃ２ａ  Ｃ２のチェーンの往路
Ｃ２ｂ  Ｃ２のチェーンの復路
【図１】
0003203410.tif 000003
【図２】
0003203410.tif 000004
【図３】
0003203410.tif 000005
【図４】
0003203410.tif 000006
【図５】
0003203410.tif 000007
【図６】
0003203410.tif 000008
【図７】
0003203410.tif 000009
【図８】
0003203410.tif 000010
【図９】
0003203410.tif 000011
【図１０】
0003203410.tif 000012
【図１１】
0003203410.tif 000013
【手続補正書】
【提出日】平成28年1月22日(2016.1.22)
【手続補正１】
【補正対象書類名】実用新案登録請求の範囲
【補正対象項目名】請求項５
【補正方法】変更
【補正の内容】
【請求項５】
装飾体の左右に一対のリング部が固定されていることを特徴とする請求項１から４のいずれかに記載の装身用チェーン。